(57)【特許請求の範囲】
【請求項１】
２つの顎部を含むヘアスタイリングデバイスであって、
前記２つの顎部はヒンジによって結合されていて、
前記２つの顎部のうちの少なくとも一方の顎部は、弾性的に取り付けられた加熱プレートを有し、
前記加熱プレートは、前記２つの顎部が完全に閉じられた場合に、
ヘアトリートメント剤が入った取り外し可能なホルダの不在下で、前記加熱プレートと他方の顎部の接合要素との間の、前記加熱プレートの前記ヒンジに近い近位端における第１の最大間隙と、
前記取り外し可能なホルダの存在下で、前記取り外し可能なホルダと前記他方の顎部の前記接合要素との間の、前記加熱プレートの前記近位端における第２の最大間隙と、
が共に、１ｍｍ乃至１．５ｍｍの範囲内であるように移動することができる、ヘアスタイリングデバイス。
【請求項２】
前記取り外し可能なホルダと係合可能なユニットを更に含み、前記ユニットにより前記一方の顎部に弾性的に取り付けられた前記加熱プレートの移動の自由度が制限され、前記取り外し可能なホルダの存在下での前記移動の自由度が、前記取り外し可能なホルダの不在下とは異なる、請求項１に記載のヘアスタイリングデバイス。
【請求項３】
前記取り外し可能なホルダの取付けにより前記ユニットが前記ヒンジの方へ押されることにより、前記取り外し可能なホルダの存在下での前記移動の自由度が、前記取り外し可能なホルダの不在下での前記移動の自由度より小さい、請求項２に記載のヘアスタイリングデバイス。
【発明の詳細な説明】
【技術分野】
【０００１】
本発明は、ヘアスタイリングデバイスに関する。
【背景技術】
【０００２】
欧州特許第１０３０５７１号に、ハンドル部と、髪に加熱する加熱部と、開状態及び閉状態となるように動かされるクランプ部材とを有し、髪が加熱部とクランプ部材との間に挿入可能であるヘア形成機器であって、髪に圧力をかけるために加熱部とクランプ部材との間に配置されるプレス部材が設けられ、当該プレス部材はヘア形成機器に弾性に取り付けられるヘア形成機器が開示されている。プレス部材は、半径方向にバネ力を生成するように、特にプレス部材の両端に配置されている２つのバネによって担持される。
【０００３】
米国特許出願公開第２０１２／００１７９３２号に、ヘアトリートメント剤が入った取り外し可能なホルダを有するヘアスタイリングデバイスが開示されている。ヘアスタイリングデバイスは、互いに面している２つのアームを有する。ヘアトリートメント剤を含む又はヘアトリートメント剤を保持するヘアトリートメント剤ホルダが、片方のアーム又は両方のアームに取り外し可能に取り付けられる。加熱手段が、デバイス本体及び／又は片方のアーム若しくは両方のアーム内に提供される。
【発明の概要】
【発明が解決しようとする課題】
【０００４】
本発明は、特に、弾性的に取り付けられた加熱プレートと、ヘアトリートメント剤が入った取り外し可能なホルダとを有する改良されたヘアスタイリングデバイスを提供することを目的とする。本発明は、独立請求項によって規定される。有利な実施形態は、従属請求項に規定される。
【課題を解決するための手段】
【０００５】
弾性的に取り付けられた加熱プレートを有するストレート・ヘア・アイロンにおいて、２つの顎部（アーム）が完全に閉じられると、加熱プレートの遠位端は接触する一方で、近位端は間隙を有する。これは、加熱プレートが、その近位端において、弾性的に取り付けられていることによって、依然として動くことができるからである。「遠位」及び「近位」との概念は、ストレート・ヘア・アイロンのヒンジから見て遠位及び近位と理解されるべきである。この完全に閉じられた状況での加熱プレートの近位端における間隙の最大幅は、良好な滑り効果を得て、髪が十分にしっかりとクランプされるためには、１ｍｍ乃至１．５ｍｍの範囲内であることが好適である。
【０００６】
本発明を利用せずに、ヘアトリートメント剤が入った取り外し可能なホルダ（例えばスリーブ）が加熱プレート上に取り付けられる場合、ヘアスタイリングデバイスが完全に閉じられると、スリーブの不在下での加熱プレートの近位端における加熱プレート間の最大間隙は、スリーブが加熱プレート上に取り付けられる状況でのスリーブ間の最大間隙とは異なる。「スリーブのない状況」又は「スリーブのある状況」のどちらか一方の状況は、間隙の幅が好適には１ｍｍ乃至１．５ｍｍの範囲内であるという所望のデザイン要件を満たすためにデザインされるならば、他方の状況は、当該所望のデザイン要件を満たすことはできない。例えば「スリーブのある状況」が、所望のデザイン要件が満たされるように（閉位置において後部間隙が例えば約１ｍｍであるように）デザインされる場合、当該後部間隙は、「スリーブのない状況」では、２．４ｍｍとなり、滑り効果が悪くなる。
【０００７】
本発明の一実施形態は、近位間隙が、１ｍｍ乃至１．５ｍｍの好適な幅の条件を満たす１ｍｍを維持できるように、「スリーブなしの状況」の際に、浮遊加熱プレートの近位端に移動が少ないように制御する機構を提供する。
【０００８】
本発明の一態様は、２つの顎部を含むヘアスタイリングデバイスを提供する。当該２つの顎部のうちの少なくとも一方の顎部は、弾性的に取り付けられた加熱プレートを有し、当該加熱プレートは、上記ヘアスタイリングデバイスが完全に閉じられた場合に、ヘアトリートメント剤が入った取り外し可能なホルダの不在下で、当該加熱プレートと他方の顎部の接合要素との間の、当該加熱プレートの近位端における第１の最大間隙と、当該取り外し可能なホルダの存在下で、当該取り外し可能なホルダと他方の顎部の前記接合要素との間の、当該加熱プレートの近位端における第２の最大間隙とが共に、約１ｍｍ乃至１．５ｍｍの範囲内であるように移動することができる。
【０００９】
例えば、本発明の一実施形態では、ヘアスタイリングデバイスは、（取り外し可能なホルダが両方の顎部に取り付けられている米国特許出願公開第２０１２／００１７９３２号の図５にあるように）それぞれ取り外し可能なホルダが取り付けられた加熱プレートを有する２つの顎部を有するが、別の実施形態では、（取り外し可能なホルダが１つの顎部にのみ取り付けられている米国特許出願公開第２０１２／００１７９３２号の図４にあるように）当該取り外し可能なホルダは、加熱プレートのうちの１つだけに取り付けられる。したがって、請求項において、他方の顎部の接合要素は、当該実施形態が、取り外し可能なホルダを１つの加熱プレートのみに取り付け可能にするか又は両方の加熱プレートに取り付け可能にするかに応じて、また、取り外し可能なホルダが両方の加熱プレートに取付け可能である場合は、（ユーザは、取り外し可能なホルダが両方の顎部に取付け可能であっても、１つの取り外し可能なホルダだけを取り付けると決める場合もあるため）どのようにユーザがヘアスタイリングデバイスを使用するのかに応じて、別の加熱プレートであっても、もう１つの加熱プレートに取り付けられた別の取り外し可能なホルダであってもよい。
【００１０】
本発明のこれらの及び他の態様は、以下に説明される実施形態を参照することにより明らかとなろう。
【図面の簡単な説明】
【００１１】
【図１】図１は、本発明の一実施形態によるヘアスタイリングデバイスの下部顎部の分解図を示す。
【図２Ａ】図２Ａは、スリーブが取り付けられていない状況での本発明の一実施形態によるヘアスタイリングデバイスの下部顎部の一部を示す。
【図２Ｂ】図２Ｂは、スリーブが取り付けられていない状況での本発明の一実施形態によるヘアスタイリングデバイスの下部顎部の一部を示す。
【図３Ａ】図３Ａは、スリーブが取り付けられた状況での本発明の一実施形態によるヘアスタイリングデバイスの下部顎部の一部を示す。
【図３Ｂ】図３Ｂは、スリーブが取り付けられた状況での本発明の一実施形態によるヘアスタイリングデバイスの下部顎部の一部を示す。
【発明を実施するための形態】
【００１２】
図１の分解図において、参照符号は以下の通りの意味を有する。
１  ハウジング、下部
２  内部ハウジングカバー、下部
３  エンドカバー
４  ロックリング
５  ヘアトリートメント剤が入った取り外し可能なホルダ（本実施形態ではスリーブ）
６  スリーブスライディングカバー
７  耐熱性フレーム
８  取り外し可能なホルダ５と係合可能なユニット（本実施形態ではスリーブ解放ブラケット）
９  固定プレート
１０  下部レバー
１１  下部スリーブスイッチカバー
１２、１３  ヒンジカバー部
１４  装飾プレート
１５  シャフト
１６  加熱プレート
１７  プリント回路基板アセンブリ
１８．１、１８．２  旋回式接触プレート
１９  電源コード
２０、２１、２２  バネ
２３  タッピンねじ
【００１３】
図１に示されるように、ストレート・アイロンは、スリーブ５である付属品が加熱プレート１６に取り付け可能であるという拡張機能を有する。スリーブ５には、髪を真っ直ぐにする際に髪に放出される有効成分が入っている。
【００１４】
図２Ａ、図２Ｂは、スリーブが取り付けられていない状況での本発明の一実施形態によるヘアスタイリングデバイスの下部顎部の一部を示す。図１に示されるバネ２０によって、加熱プレート１６が弾性に取り付けられることにより、加熱プレート１６は、これらのバネ２０上に「浮かび」、遠位端では、１．２ｍｍ下に移動することができ、近位端では、０．５ｍｍ下に移動することができる。加熱プレート１６の下において、近位端にスリーブ解放ブラケット８がある。スリーブ解放ブラケット８は、近位端における加熱プレート１６の下方向への移動を制限するストッパとしても作用する。スリーブ解放ブラケット８のストッパ部８ａ（図３Ａを参照）と加熱プレート１６との間の空間は、０．５ｍｍであり、この空間が、加熱プレート１６の近位端部の移動を０．５ｍｍに制限する。スリーブがない場合の遠位端における移動の自由度（１．２ｍｍ）と近位端における移動の自由度（０．５ｍｍ）との差によって、ヘアスタイリングデバイスが完全に閉じられた場合（即ち、遠位端における１．２ｍｍが完全に利用される場合）、近位端において、間隙は、最大限の２×０．５ｍｍ（即ち、各顎部において０．５ｍｍ）であることが確実にされ、これにより、髪は、ヘアスタイリングデバイスの２つの顎部間に十分にしっかりとクランプされる。
【００１５】
図３Ａ、図３Ｂは、スリーブ５が取り付けられた状況での本発明の一実施形態によるヘアスタイリングデバイスの下部顎部の一部を示す。スリーブ５が設置されると、スリーブ５の止め具５ａが、スリーブ解放ブラケット８を後方に押し、これにより、ストッパ部８ａが加熱プレート１６から離れるように移動し、加熱プレート１６が１．２ｍｍ下に移動し、スリーブ解放ブラケット８の縁によって制限される。図３Ｂに示される取り付けられた状況では、スリーブ５は、加熱プレート１６上に重ねられる。バネ２１（図１を参照）によって、スリーブ５を適切な位置に保持するようにスリーブ解放ブラケット８が、例えば１ｍｍ、後方に確実にずらされる。したがって、スリーブが取り付けられると、加熱プレート１６は、遠位端と近位端との両方において、１．２ｍｍ、下に移動することができる。この状況でも、例えば１．５ｍｍの厚さを有するスリーブ５が加熱プレート１６の上に取り付けられると、ヘアスタイリングデバイスが完全に閉じられる場合（即ち、遠位端における１．２ｍｍが完全に利用される場合）、近位端において、間隙は、最大限の２×０．５ｍｍ（即ち、各顎部において０．５ｍｍ）であることが確実にされ、これにより、髪は、ヘアスタイリングデバイスの２つの顎部間に十分にしっかりとクランプされる。したがって、スリーブ５の存在下での１．２ｍｍの最大下方向移動は、例えば１．５ｍｍであるスリーブ５の厚さを必ずしも完全に相殺する必要はない。
【００１６】
なお、上記実施形態は、本発明を例示するものであって、限定するものではない。当業者であれば、添付の請求項の範囲から離れることなく、多くの代替実施形態をデザインできよう。説明において言及した寸法はすべて例に過ぎない。上記実施形態では、スリーブの不在下での最大間隙が、たまたま、スリーブの存在下での最大間隙と同じであるが、重要なことは、これらの最大間隙が共に、約１ｍｍ乃至１．５ｍｍの範囲内にある点である。請求項において、括弧内に置かれた任意の参照符号は、請求項を制限しているものと解釈されるべきではない。「含む」との用語は、請求項に列挙された要素又はステップ以外の要素又はステップを排除するものではない。要素に先行する「ａ」又は「ａｎ」との用語も、当該要素が複数存在することを排除するものではない。
【図１】
0005903195.tif 000002
【図２Ａ】
0005903195.tif 000003
【図２Ｂ】
0005903195.tif 000004
【図３Ａ】
0005903195.tif 000005
【図３Ｂ】
0005903195.tif 000006